(57)【要約】【課題】柔らかさ等を維持しつつ、外層部材と吸収性部材とが外れるのを効果的に防止できる使い捨て吸収性物品を提供する。【解決手段】この使い捨て吸収性物品１では、腹側及び背側の外層部材２，３と吸収性部材４との各対向領域４１，４２において、剥離方向の力が比較的緩やかに作用する上側部分領域４１ａ，４２ａについては、ホットメルト接着剤４３，４４の単位面積当たりの付与量を抑制して基材の柔らかさ等を維持し、剥離方向の力が作用しやすい下側部分領域４１ｂ，４２ｂについては、ホットメルト接着剤４５，４６の単位面積当たりの付与量が上側部分領域４１ａ，４２ａに対して２倍に増加されて接合力が増強され、補強が図られている。【選択図】図３
2007014538.tif 000002
【特許請求の範囲】
【請求項１】
着用者の股部にあてがわれて排泄物を吸収する使い捨て吸収性物品であって、
着用者の腹側に位置する腹側外層部材と、
着用者の背側に位置する背側外層部材と、
少なくとも吸収体を有し、着用者の股部にあてがわれるように前記腹側外層部材及び前記背側外層部材の肌面側に接合用接着剤により接合された吸収性部材と、
を備え、
前記腹側外層部材及び前記背側外層部材と前記吸収性部材とが対向している腹側対向領域及び背側対向領域のうちの少なくともいずれか一方の領域内における、少なくとも前記腹側外層部材及び前記背側外層部材の股下側縁部と前記吸収性部材とが対向している部分に、前記腹側外層部材及び前記背側外層部材と前記吸収性部材との接合状態を補強する補強接合手段を設けることを特徴とする使い捨て吸収性物品。
【請求項２】
請求項１に記載の使い捨て吸収性物品において、
前記腹側対向領域及び前記背側対向領域のうちの少なくともいずれか一方の領域が、上側部分領域と下側部分領域に上下に２分割され、
前記上側部分領域については、前記接合用接着剤が付与され、
前記下側部分領域については、前記補強接合手段として、前記接合用接着剤が前記上側部分領域に対する単位面積当たりの付与量よりも大きな付与量で付与されていることを特徴とする使い捨て吸収性物品。
【請求項３】
請求項１に記載の使い捨て吸収性物品において、
前記腹側対向領域及び前記背側対向領域のうちの少なくともいずれか一方の領域が、上側部分領域と下側部分領域に上下に２分割され、
前記上側部分領域については、塗布面から離反した吐出部から吐出されて塗布されたホットメルト接着剤が、前記接合用接着剤として用いられ、
前記下側部分領域については、塗布面に実質的に接触した塗布部により塗布されたホットメルト接着剤が、前記補強接合手段として用いられることを特徴とする使い捨て吸収性物品。
【請求項４】
請求項１に記載の使い捨て吸収性物品において、
前記腹側対向領域及び前記背側対向領域のうちの少なくともいずれか一方の領域が、上側部分領域と下側部分領域に上下に２分割され、
前記上側部分領域に、前記接合用接着剤として、オレフィン系のホットメルト接着剤が付与され、
前記下側部分領域に、前記補強接合手段として、ゴム系のホットメルト接着剤が付与されることを特徴とする使い捨て吸収性物品。
【請求項５】
請求項２ないし４のいずれかに記載の使い捨て吸収性物品において、
前記腹側対向領域及び前記背側対向領域のうちの少なくともいずれか一方の領域の上下寸法と、その領域内に設けられる前記下側部分領域の上下寸法との比が、１対０．０４から１対０．７の範囲内に設定されていることを特徴とする使い捨て吸収性物品。
【発明の詳細な説明】
【技術分野】
【０００１】
本発明は、着用者の股部にあてがわれて排泄物を吸収する使い捨て吸収性物品に関する。
【背景技術】
【０００２】
従来の使い捨て吸収性物品として、腹側及び背側に分割された２つの連結体の肌面側に、吸収体をエ字型の接着層により接合したものがある（特許文献１）。
【０００３】
【特許文献１】実開平４−３２７１８号公報
【発明の開示】
【発明が解決しようとする課題】
【０００４】
しかしながら、上記特許文献１に記載の使い捨て吸収性物品では、着用時に着用者の大腿部によって連結体が押し上げられると、連結体と吸収体との接着層に強い剥離力が働いて外れてしまうおそれがあった。また、接着層が外れるのを防止するために、接着剤等の量を単純に増やすと、吸収性物品の柔らかさ等が損なわれ履き心地が悪くなるという問題があった。
【０００５】
そこで、本発明の解決すべき課題は、柔らかさ等を維持しつつ、外層部材と吸収性部材とが外れるのを効果的に防止できる使い捨て吸収性物品を提供することである。
【課題を解決するための手段】
【０００６】
上記の課題を解決するため、請求項１の発明では、着用者の股部にあてがわれて排泄物を吸収する使い捨て吸収性物品であって、着用者の腹側に位置する腹側外層部材と、着用者の背側に位置する背側外層部材と、少なくとも吸収体を有し、着用者の股部にあてがわれるように前記腹側外層部材及び前記背側外層部材の肌面側に接合用接着剤により接合された吸収性部材とを備え、前記腹側外層部材及び前記背側外層部材と前記吸収性部材とが対向している腹側対向領域及び背側対向領域のうちの少なくともいずれか一方の領域内における、少なくとも前記腹側外層部材及び前記背側外層部材の股下側縁部と前記吸収性部材とが対向している部分に、前記腹側外層部材及び前記背側外層部材と前記吸収性部材との接合状態を補強する補強接合手段を設ける。
【０００７】
また、請求項２の発明では、請求項１の発明に係る使い捨て吸収性物品において、前記腹側対向領域及び前記背側対向領域のうちの少なくともいずれか一方の領域が、上側部分領域と下側部分領域に上下に２分割され、前記上側部分領域については、前記接合用接着剤が付与され、前記下側部分領域については、前記補強接合手段として、前記接合用接着剤が前記上側部分領域に対する単位面積当たりの付与量よりも大きな付与量で付与されている。
【０００８】
また、請求項３の発明では、請求項１の発明に係る使い捨て吸収性物品において、前記腹側対向領域及び前記背側対向領域のうちの少なくともいずれか一方の領域が、上側部分領域と下側部分領域に上下に２分割され、前記上側部分領域については、塗布面から離反した吐出部から吐出されて塗布されたホットメルト接着剤が、前記接合用接着剤として用いられ、前記下側部分領域については、塗布面に実質的に接触した塗布部により塗布されたホットメルト接着剤が、前記補強接合手段として用いられる。
【０００９】
また、請求項４の発明では、請求項１の発明に係る使い捨て吸収性物品において、前記腹側対向領域及び前記背側対向領域のうちの少なくともいずれか一方の領域が、上側部分領域と下側部分領域に上下に２分割され、前記上側部分領域に、前記接合用接着剤として、オレフィン系のホットメルト接着剤が付与され、前記下側部分領域に、前記補強接合手段として、ゴム系のホットメルト接着剤が付与される。
【００１０】
また、請求項５の発明では、請求項２ないし４のいずれかの発明に係る使い捨て吸収性物品において、前記腹側対向領域及び前記背側対向領域のうちの少なくともいずれか一方の領域の上下寸法と、その領域内に設けられる前記下側部分領域の上下寸法との比が、１対０．０４から１対０．７の範囲内に設定されている。
【発明の効果】
【００１１】
請求項１に記載の発明によれば、腹側外層部材及び背側外層部材と吸収性部材とが対向している腹側対向領域及び背側対向領域のうちの少なくともいずれか一方の領域内における、少なくとも腹側外層部材及び背側外層部材の股下側縁部と吸収性部材とが対向している部分に、腹側外層部材及び背側外層部材と吸収性部材との接合状態を補強する補強接合手段が設けられているため、着用者の大腿部等からの剥離方向の力が最も作用しやすい外層部材の股下側縁部と吸収性部材とが対向する部分の接合状態を的確に補強することができ、これによって、外層部材と吸収性部材とが外れるのを効果的に防止できる。
【００１２】
また、腹側対向領域及び背側対向領域のうちの少なくともいずれか一方の領域内における補強接合手段を設ける部分の割合等を調節することにより、吸収性物品の柔らかさ等を維持することができる。
【００１３】
請求項２に記載の発明によれば、腹側又は背側の外層部材と吸収性部材とが対向している対向領域内における着用者の大腿部等からの剥離方向の力が作用しやすい下側部分領域については、接着剤の単位面積当たりの付与量を増やして補強を行うとともに、対向領域内における剥離方向の力が比較的緩やかに作用する上側部分領域については、接着剤の単位面積当たりの付与量を抑制して基材の柔らかさ等を維持する構成であるため、吸収性物品の柔らかさ等を維持しつつ、外層部材と吸収性部材とが外れるのを効果的に防止できる。
【００１４】
請求項３に記載の発明によれば、腹側又は背側の外層部材と吸収性部材とが対向している対向領域内における着用者の大腿部等からの剥離方向の力が作用しやすい下側部分領域については、接合強度確保に有利な接触塗布方式で塗布されたホットメルト接着剤が補強接合手段として用いられるとともに、対向領域内における剥離方向の力が比較的緩やかに作用する上側部分領域については、基材の柔らかさ等を維持するのに有利な非接触塗布方式で塗布されたホットメルト接着剤が接合用接着剤として用いられるため、吸収性物品の柔らかさ等を維持しつつ、外層部材と吸収性部材とが外れるのを効果的に防止できる。
【００１５】
請求項４に記載の発明によれば、腹側又は背側の外層部材と吸収性部材とが対向している対向領域内における着用者の大腿部等からの剥離方向の力が作用しやすい下側部分領域については、剥離応力に対する接合維持能力に優れたゴム系のホットメルト接着剤が付与されるとともに、対向領域内における剥離方向の力が比較的緩やかに作用する上側部分領域については、基材の柔らかさ等を維持するのに有利なオレフィン系のホットメルト接着剤が用いられるため、吸収性物品の柔らかさ等を維持しつつ、外層部材と吸収性部材とが外れるのを効果的に防止できる。
【００１６】
請求項５に記載の発明によれば、腹側又は背側の外層部材と吸収性部材とが対向している対向領域の上下寸法と、その領域内に設けられる接合状態の補強を行う下側部分領域の上下寸法との比が、１対０．０４から１対０．７の範囲内に設定されているため、下側部分領域に対して施される補強により吸収性物品の柔らかさ等が損なわれるの防止しつつ、外層部材と吸収性部材とが外れるのを効果的に防止できる。
【発明を実施するための最良の形態】
【００１７】
図１は本発明の一実施形態に係る使い捨て吸収性物品の斜視図であり、図２は図１の使い捨て吸収性物品を展開した状態を示す図であり、図３は腹側外層部材及び背側外層部材と吸収性部材との接合部の構成を示す図である。
【００１８】
この使い捨て吸収性物品１は、例えばパンツ型の使い捨ておむつであり、図１及び図２に示すように、吸収性物品１の外面側に前後に分割して設けられる腹側外層部材２及び背側外層部材３と、外層部材２，３の肌面側に接合される吸収性部材４とを備えており、着用者の前腹部、後背部及び股部にそれぞれあてがわれる前腹部Ａ、後背部Ｂ及び股部Ｃからなっている。なお、本実施形態では、吸収性物品１の具体例としてパンツ型のおむつを挙げたが、本実施形態の吸収性物品１に係る技術を、面ファスナー等により展開自在となっている通常の使い捨ておむつ等に適用してもよい。
【００１９】
腹側外層部材２は、略横長矩形シート状の形態を有し、着用者の前腹部にあてがわれる前腹部Ａを構成している。腹側外層部材２の上縁部は、複数のウエスト用弾性部材１１が設けられて腹側ウエストギャザー部１２が形成されている。腹側外層部材２の下縁部における左右両側の部分は、複数の脚用弾性部材１３が設けられて腹側レッグギャザー部１４が形成されている。腹側外層部材２の上下方向の中間領域における左右両側の部分には、複数のボディ用弾性部材１５が設けられて腹側ボディギャザー部１６が形成されている。このような腹側外層部材２は、例えば２枚のシート材の間に弾性部材１１，１３，１５が挟み込まれて形成されている。
【００２０】
背側外層部材３は、略横長矩形シート状の後背部３ａと、略台形シート状の臀部３ｂとが一体に連なった形態を有し、着用者の背側における後背部及び臀部にあてがわれるようになっている。背側外層部材３の上縁部は、複数のウエスト用弾性部材２１が設けられて背側ウエストギャザー部２２が形成されている。背側外層部材３の臀部３ｂに股下側縁部における左右両側の部分は、複数の脚用弾性部材２３が設けられて背側レッグギャザー部２４が形成されている。背側外層部材３の後背部３ａの上下方向の中間領域における左右両側の部分には、複数のボディ用弾性部材２５が設けられて背側ボディギャザー部２６が形成されている。このような背側外層部材３は、例えば２枚のシート材の間に弾性部材２１，２３，２５が挟み込まれて形成されている。
【００２１】
吸収性部材４は、吸収体３１を有する本体部３２と、その本体部３２の左右両側に設けられるひだ状の起立部（立体ギャザー）３３とを備えており、略縦長矩形シート状の形態を有している。本体部３２は、透液性のトップシート３４と不透液性のバックシート３５との間に、吸収体３１を挟み込んで構成されている。吸収体３１は、略砂時計形の平面形状を有している。起立部３３には、着用時に起立部３３を着用者の肌面側に向けて起立させるための複数の弾性部材３６が設けられている。
【００２２】
このような吸収性部材４は、図２に示すように、前後に間隔をあけて配置された腹側外層部材２及び背側外層部材３間に跨るようにして、外層部材２，３の肌面側に接合されている。
【００２３】
そして、腹側外層部材２の左右両縁部３７と背側外層部材３の左右両縁部３８とが超音波溶着又は加熱溶着等の接合手段により接合される。これによって、腹側外層部材２及び背側外層部材３のウエストギャザー部１２，２２によりウエスト用開口部Ｑが形成され、腹側外層部材２及び背側外層部材３のレッグギャザー部１４，２４及び吸収性部材４の左右縁部における外層部材２，３間に位置する部分３９により左右のレッグ用開口部Ｒが形成される。
【００２４】
次に、外層部材２，３と吸収性部材４との接合のための構成について説明する。図３に模式的に示すように、吸収性部材４と外層部材２，３とが対向する腹側対向領域４１及び背側対向領域４２に付与されたホットメルト接着剤４３〜４６により、外層部材２，３と吸収性部材４とが接合されるようになっている。ここで、ホットメルト接着剤４３，４４が本発明に係る接合用接着剤に相当し、ホットメルト接着剤４５，４６が本発明に係る補強接合手段に相当している。
【００２５】
より詳細には、各対向領域４１，４２は、ウエスト用開口部Ｑ側に位置する上側部分領域４１ａ，４２ａと股下側に位置する下側部分領域４１ｂ，４２ｂとに上下に２分割されている。下側部分領域４１ｂ，４２ｂは、腹側外層部材２の股下側縁部及び背側外層部材３の臀部３ｂの股下側縁部に沿った部分に設けられており、対向領域４１，４２に占める割合は比較的小さく抑えられている。具体的には、対向領域４１，４２の上下寸法Ｓ１，Ｓ２と、その領域４１，４２内に設けられる下側部分領域４１ｂ，４２ｂの上下寸法Ｓ１ａ，Ｓ２ａとの比が、１対０．０４から１対０．７の範囲（より好ましくは、１対０．０４から１対０．５の範囲）内に設定されている。より具体的には、寸法Ｓ１に対する寸法Ｓ１ａの比は、例えば約１対０．１５に設定され、寸法Ｓ２に対する寸法Ｓ２ａの比は、例えば約１対０．０７に設定される。
【００２６】
そして、各対向領域４１，４２における上側部分領域４１，４２には、外層部材２，３と吸収性部材４との基本的な接合強度を確保するためのホットメルト接着剤４３，４４が付与される。ホットメルト接着剤４３，４４としては、例えばオレフィン系のホットメルト接着剤又はゴム系のホットメルト接着剤が用いられる。
【００２７】
また、各対向領域４１，４２における下側部分領域４１ｂ，４２ｂには、外層部材２，３と吸収性部材４とのホットメルト接着剤４３，４４による接合状態を補強するホットメルト接着剤４５，４６が付与される。この補強機能を実現するための構成として、本実施形態では、下側部分領域４１ｂ，４２ｂに、ホットメルト接着剤４３，４４と同種の接着剤が、接着剤４３，４４の上側部分領域４１ａ，４２ａへの単位面積当たりの付与量よりも多い付与量で、ホットメルト接着剤４５，４６として付与されるようになっている。より具体的には、例えば、下側部分領域４１ｂ，４２ｂへのホットメルト接着剤４５，４６の単位面積当たりの付与量が、ホットメルト接着剤４３，４４の上側部分領域４１ａ，４２ａへの単位面積当たりの付与量の２倍になるように設定されている。
【００２８】
ホットメルト接着剤４３〜４６の付与は、例えば次のようにして行われる。ホットメルト接着剤を吸収性部材４の対向領域４１，４２の全体に塗布し、その後、下側部分領域４１ｂ，４２ｂに同種のホットメルト接着剤を重ね塗りする。このときのホットメルト接着剤の塗布は、例えば、図４に示すように非接触型塗布装置であるカーテンスプレイ塗布装置を用いて行われる。この装置では、吸収性部材４を所定の搬送方向Ｄに搬送しつつ、吸収性部材４から離反して設置された吐出部５１からホットメルト接着剤をカーテン状に吐出して塗布するようになっている。
【００２９】
このように、外層部材２，３と吸収性部材４との各対向領域４１，４２内において大きな面積割合を占めるの上側部分領域４１ａ，４２ａに付与されたホットメルト接着剤４３，４４により外層部材２，３と吸収性部材４との基本的な接合が確保される。また、各対向領域４１，４２内における着用者の大腿部等からの剥離方向の力が作用しやすい各外層部材２，３の股下側縁部に沿った下側部分領域４１ｂ，４２ｂについては、ホットメルト接着剤４５，４６の単位面積当たりの付与量が上側部分領域４１ａ，４２ａに対して２倍に増加されて接合力が増強され、着用者の大腿部等から与えられる剥離方向の力に対する補強が行われる。
【００３０】
以上のように、本形態によれば、外層部材２，３と吸収性部材４との各対向領域４１，４２において、剥離方向の力が比較的緩やかに作用する上側部分領域４１ａ，４２ａについては、ホットメルト接着剤４３，４４の単位面積当たりの付与量を抑制して基材の柔らかさ等を維持し、剥離方向の力が作用しやすい下側部分領域４１ｂ，４２ｂについては、ホットメルト接着剤４５，４６の単位面積当たりの付与量が上側部分領域４１ａ，４２ａに対して２倍に増加されて接合力が増強され、補強が図られているため、吸収性物品１の柔らかさ等を維持しつつ、外層部材２，３と吸収性部材４とが外れるのを効果的に防止できる。
【００３１】
また、各対向領域４１，４２内の補強用の下側部分領域４１ｂ，４２ｂの割合等を調節することにより、吸収性物品１の柔らかさ等を維持することができる。この点に関し、各対向領域４１，４２の上下寸法Ｓ１，Ｓ２と、その領域４１，４２内に設けられる下側部分領域４１ｂ，４２ｂの上下寸法Ｓ１ａ，Ｓ２ａとの比が、１対０．０４から１対０．７の範囲（より好ましくは、１対０．０４から１対０．５の範囲）内に設定されているため、下側部分領域４１ｂ，４２ｂに対して施される補強により吸収性物品１の柔らかさ等が損なわれるの防止しつつ、外層部材２，３と吸収性部材４とが外れるのを効果的に防止できる。
【００３２】
また、外層部材２，３と吸収性部材４との接合手段として、ホットメルト接着剤４３〜４６を用いるため、使い捨て吸収性物品１の設計に際して外層部材２，３と吸収性部材４との接合強度や柔らかさ等を容易にコントロールすることができる。
【００３３】
＜変形例＞
上述の外層部材２，３と吸収性部材４との接合形態に関する変形例として、次の２つの構成が採用可能である。
【００３４】
これに関する第１の変形例として、外層部材２，３と吸収性部材４との対向領域４１，４２の上側部分領域４１ａ，４２ａと下側部分領域４１ｂ，４２ｂとでホットメルト接着剤４３〜４６の塗布形式を変える構成が採用可能である。具体的には、例えば、着用者の大腿部等からの剥離方向の力が作用しやすい下側部分領域４１ｂ，４２ｂについては、接合強度確保に有利な接触塗布方式でホットメルト接着剤４５，４６を塗布する。剥離方向の力が比較的緩やかに作用する上側部分領域４１ａ，４２ａについては、吸収性物品１の柔らかさ等を維持するのに有利な非接触塗布方式でホットメルト接着剤４３，４４を塗布する。
【００３５】
接触塗布方式による場合は、例えば図５に示すような接触型塗布装置が用いられ、吸収性部材４を所定の搬送方向Ｄに搬送しつつ、吸収性部材４の塗布面に実質的に接触した塗布部５２によりホットメルト接着剤４５，４６が塗布されるようになっている。なお、図５の図示例では、ホットメルト接着剤４５，４６をストライプ状に塗布するようになっているが、面状に連続的に連なるように塗布するようにしてもよい。また、非接触塗布方式による場合は、例えば上述の図４に示す非接触型塗布装置を用いて、ホットメルト接着剤４３，４４が塗布される。
【００３６】
なお、この第１の変形例の場合、上側部分領域４１ａ，４２ａに塗布するホットメルト接着剤４３，４４と、下側部分領域４１ｂ，４２ｂに塗布するホットメルト接着剤４５，４６とは同種のものが用いられてもいいし、異なったものが用いられてもよい。例えば、前者の場合はホットメルト接着剤４３〜４６にオレフィン系又はゴム系のホットメルト接着剤を用い構成が採用可能であり、後者の場合はホットメルト接着剤４３，４４にオレフィン系のホットメルト接着剤を用い、ホットメルト接着剤４５，４６にゴム系のホットメルト接着剤を用いる構成が採用可能である。
【００３７】
このような第１の変形例に係る構成によっても、吸収性物品１の柔らかさ等を維持しつつ、外層部材２，３と吸収性部材４とが外れるのを効果的に防止できるという効果が得られる。
【００３８】
また、外層部材２，３と吸収性部材４との接合形態に関する第２の変形例として、対向領域４１，４２の上側部分領域４１ａ，４２ａと下側部分領域４１ｂ，４２ｂとでホットメルト接着剤４３〜４６の種類を変える構成が採用可能である。具体的には、例えば、各対向領域４１，４２内における着用者の大腿部等からの剥離方向の力が作用しやすい下側部分領域４１ｂ，４２ｂについては、剥離応力に対する接合維持能力に優れたゴム系のホットメルト接着剤４３，４４を用いいるとともに、剥離方向の力が比較的緩やかに作用する上側部分領域４１ａ，４２ａについては、基材の柔らかさ等を維持するのに有利なオレフィン系のホットメルト接着剤４５，４６を用いる構成が採用可能である。このような構成によっても、吸収性物品１の柔らかさ等を維持しつつ、外層部材２，３と吸収性部材４とが外れるのを効果的に防止できる。
【００３９】
また、上述の実施形態では、補強接合手段としてホットメルト接着剤４５，４６を用いたが、超音波溶着、加熱溶着等の他の接合手段を補強接合手段として用いてもよい。この場合、ホットメルト接着剤４３，４４については、対向領域４１，４２の全面に付与するのが望ましい。
【００４０】
また、上述の実施形態では、２つの対向領域４１，４２の両方について補強用の下側部分領域４１ｂ，４２ｂを設けるようにしたが、いずれか一方の対向領域４１，４２についてのみ下側部分領域４１ｂ，４２ｂを設けるようにしてもよい。
【００４１】
また、上述の実施形態では、外層部材２，３と吸収性部材４との接合手段としてホットメルト接着剤４３〜４６を用いたが、他の接着剤を用いてもよい。
【図面の簡単な説明】
【００４２】
【図１】本発明の一実施形態に係る使い捨て吸収性物品の斜視図である。
【図２】図１の使い捨て吸収性物品を展開した状態を示す図である。
【図３】腹側外層部材及び背側外層部材と吸収性部材との接合部の構成を示す図である。
【図４】非接触型塗布装置を用いたホットメルト接着剤の塗布工程を示す図である。
【図５】接触型塗布装置を用いたホットメルト接着剤の塗布工程を示す図である。
【符号の説明】
【００４３】
１  使い捨て吸収性物品、２  腹側外層部材、３  背側外層部材、４  吸収性部材、３１  吸収体、４１  腹側対向領域、４１ａ  上側部分領域、４１ｂ  下側部分領域、４２  背側対向領域、４２ａ  上側部分領域、４２ｂ  下側部分領域、４３〜４６  ホットメルト接着剤、Ｓ１，Ｓ１ａ，Ｓ２，Ｓ２ａ  上下寸法。
【図１】
2007014538.tif 000003
【図２】
2007014538.tif 000004
【図３】
2007014538.tif 000005
【図４】
2007014538.tif 000006
【図５】
2007014538.tif 000007